(57)【特許請求の範囲】
【請求項１】
前面部、背面部、底面部及び両側面部から成るパウチ収納部と、平板部、上面部及び脚片から成る蓋部を有する電子レンジ加熱用容器において、前記パウチ収納部の上方の少なくとも一方のコーナー部にパウチのコーナー部が露出可能に切り欠いた開口部を設け、前記パウチ収納部の背面部にヒンジを介して前記開口部を覆う蓋部を開閉可能に設けると共に、前記蓋部を開いた状態においては前記蓋体を背面部側に折り返して立て掛け可能とし、前記蓋部を閉じた状態においては前記蓋体の平板部の幅が前記切り欠き部よりも大きく成形されると共に、前記切り欠き部が前記蓋体に覆われており、前記蓋体を前記前面部側に閉じて梱包可能としたことを特徴とする電子レンジ加熱用容器。
【請求項２】
蓋部の先端部に係止部を設け、背面部に前記係止部が係合する係合部を設けたことを特徴とする請求項１記載の電子レンジ加熱用容器。
【発明の詳細な説明】
【０００１】
【発明の属する技術分野】
本発明は、調理済または半調理状態の食品等を密封状態で収納したパウチの電子レンジ加熱用容器に関し、より詳しくは、前記パウチを電子レンジで加熱する際に用いられる電子レンジ加熱用容器に関する。
【０００２】
【従来の技術およびその問題点】
近年、パウチ用として優れた特性を有する包装材料の開発に伴い、特に食品分野における包装体の発展には目覚ましいものがあり、調理した食材を直ちに包装し、調理後の味を損なうことなく、消費者に提供出来るようにしたパウチ入り食品等が多数製造販売されている。
消費者は購入したパウチ入り食品を食する場合、各家庭に普及した電子レンジ等の加熱調理器により加熱することが多い。
【０００３】
この結果、電子レンジ等の加熱調理器による加熱後は、パウチが高温となっているため前記パウチを直ちに電子レンジから取り出すことが出来ず、前記パウチを開封して食する際も食器等の他の容器に移し替えることが困難である。また、これらを無理に行おうとすると火傷の危険性もある。
【０００４】
一方、前記パウチを電子レンジで加熱する際は、加熱によるパウチのバースト（爆発）を防止するため、パウチのコーナー部を開封して、あるいは、例えば、登録実用新案第３０４８３９１号公報または特開平１０−１４７３７１号公報等で提案されているパウチ内の気体の排出機構を設けて、前記バースト（爆発）の防止を行って加熱中の内容物の飛び散りを防止している。
しかしながら、単にパウチを電子レンジ内の受け皿に置いて加熱を行うと、内容物の飛び散りは防止できても、前記受け皿あるいは電子レンジ内に内容物がこぼれてしまうという不都合がある。
【０００５】
また、これらの不都合の防止策として、パウチをスタンディングパウチとして電子レンジ内でスタンディングを可能にすることも提案されているが、パウチの加熱中の内圧上昇によりスタンディングを確実に維持することは困難であり、転倒により電子レンジ内に内容物がこぼれてしまう危険性がある。また、加熱後は、パウチが高温となっているため、加熱後に直ちに電子レンジから取り出すことは困難である。
【０００６】
そこで、本発明の目的は、電子レンジ等の加熱調理器による加熱後のパウチを直ちに取り出すことが出来、食するために、パウチを容器内に収納したままの状態でパウチ内の内容物を食器等の他の容器に移し替えることができると共に、電子レンジ内におけるパウチ内の内容物のこぼれが防止され、かつ、容器の蓋部は、開いた状態では折り返して脚片となり容器を立て掛け可能とする機能を有し、閉じた状態では容器の切り欠き部を覆う梱包部材として機能する。しかも、製造が容易で、取り扱いが極めて簡単なパウチの電子レンジ加熱用容器を提供することにある。
【０００７】
【課題を解決するための手段】
本発明によれば、前面部、背面部、底面部及び両側面部から成るパウチ収納部と、平板部、上面部及び脚片から成る蓋部を有する電子レンジ加熱用容器において、前記パウチ収納部の上方の少なくとも一方のコーナー部にパウチのコーナー部が露出可能に切り欠いた開口部を設け、前記パウチ収納部の背面部にヒンジを介して前記開口部を覆う蓋部を開閉可能に設けると共に、前記蓋部を開いた状態においては前記蓋体を背面部側に折り返して立て掛け可能とし、前記蓋部を閉じた状態においては前記蓋体の平板部の幅が前記切り欠き部よりも大きく成形されると共に、前記切り欠き部が前記蓋体に覆われており、前記蓋体を前記前面部側に閉じて梱包可能としたことを特徴とする電子レンジ加熱用容器が提供される。
【０００８】
また、本発明によれば、蓋部の先端部に係止部を設け、背面部に前記係止部が係合する係合部を設けた上記電子レンジ加熱用容器が提供される。
【０００９】
【発明の実施の形態】
本発明は、前面部、背面部、底面部及び両側面部から成るパウチ収納部の上方に開口部を設け、前記パウチ収納部の背面部にヒンジ部を介して前記開口部を覆う蓋部を開閉可能に設けて電子レンジ加熱用容器とするものである。
そして、前記電子レンジ加熱用容器のパウチ収納部の上方に設けた開口部に対して、パウチのコーナー部、或いは一側が位置するようにパウチが前記パウチ収納部に収納され、前記蓋部によって前記開口部を覆ってパウチの梱包が完了する。
【００１０】
前記電子レンジ加熱用容器において、パウチ収納部の上方の少なくとも一側部に開口部を設けると、パウチのコーナー部が前記開口部から露出するため、パウチを電子レンジ加熱用容器内に保持したまま、加熱後の内容物の取り出しがこの部分から容易に行われる。
【００１１】
また、前記電子レンジ加熱用容器において、パウチ収納部の上方の全面に亙って開口部を設けると、加熱後の内容物の取り出し時に、パウチが加熱用容器から落下し、内容物の取り出しが困難である。
【００１２】
さらに、前記電子レンジ加熱用容器において、蓋部の先端部に係止部を設け、背面部に前記係止部が係合する係合部を設けると、前記蓋部を折り返して係止部を背面部の係合部に係合させることにより、電子レンジ内においてパウチの加熱用容器をスタンディング状態とすることができ、内容物がこぼれることなく、安定して加熱することができる。
【００１３】
【実施例】
以下、図面を参照して本発明の実施例を説明する。
［実施例１］
図１ないし図３は、本発明の電子レンジ加熱用容器の実施例１にかかる展開図、組立て状態の参考図および使用状態の参考図であって、１枚のボール紙等のブランクを切断、折り目加工、スリット或はミシン目加工、糊付けを行ってパウチを収納する電子レンジ加熱用容器とするものである。
図１（展開図）において、本発明の電子レンジ加熱用容器１を構成するブランクは、前面部２、背面部３、底面部４及び両側面部５からなり、これらの要素がパウチ収納部を構成する。
そして、前面部２の先端部には斜線部２ａを介して突片２ｂが、背面部３の先端部には突片３ａが、さらに底面部４の両側には側片４ａが設けられている。
なお、符号６はスリットである。
【００１４】
一方、蓋部７は、平板部８、上面部９及び脚片１０からなり、前記平板部８の両側には側片８ａ、上面部９には小片９ａが、また、脚片１０には側片１０ａがそれぞれ設けられている。
また、両側面部５ｂ，５ｂと前記側片１０ａはスリット１１で、前記側片１０ａと上面部９の小片９ａはスリット１２で、前記小片９ａと平板部８の側片８ａはスリット１３でそれぞれ分離されている。背面部３と蓋部７は、折り目部から成る両側の第１ヒンジ部１４で一体的に連結され、他の部分は傾斜状のスリット１５、スリット１６及びスリット１７で分離されている。
【００１５】
一方、図１から明らかなように、前面部２と前記前面部２側の両側面部５ａ，５ａの先端部形状は、前述した背面部３、両側面部５ｂ，５ｂと蓋部７の境界部に設けられるスリット１１、ヒンジ部１４、スリット１５，１６，１７が形成する線形状と同一に形成される。
また、図面中に符号１８で示す部分は横折り目部であり、符号１９で示す部分は、縦折り目部である。なお、前述したスリット１１，１２，１３，１５ないし１７はミシン目で構成してもよく、その際は後述するブランクの組立時にミシン目を破断すればよい。
そして、前述したブランクを用いて電子レンジ加熱用容器とする際は、底面部４と前面部２及び背面部３間の横折り目部１８を、また、前記前面部２と両側面部５ａ，５ａ間、前記背面部３と両側面部５ｂ，５ｂ間の縦折り目部１９をそれぞれ折り、底面部４とその側片４ａをスリット６から分離し、前記側片４ａを内面として両側面部５ａと５ｂ同士を糊付けする。
次いで、前面部２の突片２ｂと背面部３の突片３ａの横折り目部１８をそれぞれ折り、前記突片２ｂと３ａ同士の糊付けを行いパウチ収納部とする。
その後、両側面５ｂと脚片１０の側片１０ａをスリット１１から、また、背面部３と蓋部７をスリット１５ないし１７から分離すると共に、第１ヒンジ部１４から折り曲げる。
【００１６】
最後に、蓋部７の平板部８、上面部９、及び脚片１０間の２つの横折り目部１８、前記平板部８の両側片８ａ、上面部９の両側片９ａ及び脚片１０の両側片１０ａをスリット１２、１３から分離すると共に、縦折り目部１９から内方に折り曲げて糊付けを行い、図２（組立状態参考図）に示すパウチを梱包する電子レンジ加熱用容器１とする。
【００１７】
使用に際しては、図３に示すように適宜手段で内容物が充填され、コーナー部に易開封を行うノッチ等、あるいは本体にバースト防止機構（図示せず）を設けたパウチＰを前面部２、背面部３、底面部４及び両側面部５から成るパウチ収納部に収納し、図２に示すように蓋部７を前面部２側に閉じて梱包する。
この状態から図３（使用状態参考図）に示すように、第１ヒンジ部１４から蓋部７を背面部３側に回転させて折り曲げ、蓋部７を利用して電子レンジ内、あるいは電子レンジ外で立て掛けた状態とする。
【００１８】
この時、図３から明らかなように、前面部２、背面部３、底面部４及び両側面部５から成るパウチ収納部の上方の両角部には切り欠いた開口部２０が形成され、収納したパウチＰのコーナー部が露出する。
このため、電子レンジによるパウチＰの加熱後の内容物取り出しが、パウチＰを電子レンジ加熱用容器１に収納した状態で行うことができる。また、電子レンジによる加熱時のバースト防止を行うために、パウチＰのコーナー部を開封しても、同様に、電子レンジ加熱用容器１にパウチＰを収納した状態で行うことができる。
さらに、電子レンジ内、あるいは電子レンジ外でもパウチを立て掛けた状態とすることが可能で、パウチのコーナー部をカットした後も、前記パウチの内容物のこぼれが防止される。
【００１９】
［実施例２］
図４ないし図６は、本発明の電子レンジ加熱用容器の実施例２にかかる展開図、組立て状態の参考図および使用状態を示す参考図であって、容器は１ａで示す。実施例２における、図１ないし図３に示した実施例１と相違する構成は２点あり、まず、背面部３の下方中央部に、蓋部７の平板部８の先端部に設けた係止部７ａを係合させる係合部３ｂを設けた点である。
もう１点は、底面４に側片４ａ、蓋部７の平板部８の両側に側片８ａを設けず、さらに、蓋部７の上面部９とその側片９ａ間にスリット１２を、前記側片９ａとその下方の脚片１０の側片１０ａ間を横折り目部１８とし、蓋部７の平板部８を横折り目部から成る第２ヒンジ部２１で開閉可能とした点であり、その他の構成は実施例１と同様のため、図面に番号を付して説明を省略する。
【００２０】
使用に際しては、図５の状態から図６に示すように、蓋部７を第１ヒンジ部１４から背面部３側に回転させて折り曲げ、さらに、蓋部７の平板部８を第２ヒンジ部２１から背面部３側に回転させて折り曲げる。次いで、背面部３の下方中央部の係合部３ｂに、蓋部７の平板部８の先端部に設けた係止部７ａを係合させ、電子レンジ内、あるいは電子レンジ外で立て掛けた状態とする。
【００２１】
［実施例３］
図７ないし図９は、本発明の電子レンジ加熱用容器の実施例３にかかる展開図、組立状態の参考図および使用状態の参考図であって、容器は１ｂで示す。実施例３における、図４ないし図６に示した実施例２と相違する点は、前面部２の上方の両側に、切断予定線２２ないし２４から切断される脚片１０’、側片１０ａ’、上面部９’、小片９ａ’を設けた点であり、他の構成は前述した実施例２と同様のため説明を省略する。
なお、前記脚片１０’の側片１０ａ’と上面部９’の小片９ａ’はスリット１２’で分離されている。
【００２２】
そして、前述したブランクを用いて電子レンジ加熱用容器とする際は、前面部２から切断予定線２２ないし２４に沿って脚片１０’、側片１０ａ’、上面部９’、小片９ａ’を切断すると共に、側片１０ａ’と小片９ａ’をスリット１２’から切り離し、横折り目１８’から上面部９’を折り曲げ、一方、縦折り目部１９’から側片１０ａ’、小片９ａ’を折り曲げて部品Ｂとする。
次いで、この部品Ｂの脚片１０’を蓋部７の脚片１０と対称的に位置させ、蓋部７と部品Ｂにおける上面部９と上面部９’、脚片１０の側片１０ａと脚片１０’の側片１０ａ’をそれぞれ糊付けする。
【００２３】
本発明によれば、図８及び図９に示したように、パウチ収納部の上方の両角部に形成される開口部２０が、蓋部７に設けた脚片１０，１０’によって前面部２及び背面部３の両方から覆われることになる。
【００２４】
［実施例４］
図１０及び図１１は、本発明の電子レンジ加熱用容器の実施例４を示すものであり、容器は１ｃで示す。
図１０はその展開図であり、図４ないし図６に示した実施例２と相違する点は背面部３と蓋部７の間にスリット１５ないし１７を設けずに、すなわち、図１０に示すように、背面部３と蓋部７の脚片の境界部全体を横折り部から成る第１ヒンジ部１４とし、蓋部７の平板部８と上面部９も同様な横折り部から成る第２ヒンジ部２１とした点であり、他の構成は前述した実施例２と同様のため説明を省略する。
【００２５】
そして、前述したブランクを用いて電子レンジ加熱用容器１ｃとする際は、底面部４と前面部２及び背面部３間の横折り目部１８を、また、前記前面部２と両側面部５ａ，５ａ間、前記背面部３と両側面部５ｂ，５ｂ間の縦折り目部１９をそれぞれ折り、底面部４とその側片４ａをスリット６から分離して立ち上げ、前記側片４ａを内面として両側面部５ａと５ｂ同士を糊付けすると共に、前面部２の突片２ｂの下方における横折り目１８を折ってパウチ収納部とする。
次いで、背面部３と蓋部７の脚片１０間の第１ヒンジ部１４、前記蓋部７における脚片１０と上面部９間の横折り目部１８、及び前記上面部９と平板部８間の第２ヒンジ部２１をそれぞれ横折りした後、蓋部７の脚片１０の側片１０ａと上面部９の小片９ａの糊付けを行い、使用状態の参考図である図１１に示すパウチを梱包する電子レンジ加熱用容器１ｃとする。
【００２６】
使用に際しては、図１１に示すように、蓋部７を第１ヒンジ部１４から背面部３側に折り曲げ回転させ、さらに、蓋部７の平板部８を第２ヒンジ部２１から背面部３側に回転させて折り曲げる。次いで、背面部３の下方中央部の係合部３ｂに、蓋部７の平板部８の先端部に設けた係止部７ａを係合させ、電子レンジ内、あるいは電子レンジ外で立て掛けた状態とする。
【００２７】
本実施例によれば、図１１に示すように、前面部２の突片２ａの両角部、及び前面部２の突片２ｂの下方と第１ヒンジ部１４の間が、すなわち、前面部２の突片２ｂの下方と背面部３の間、あるいは蓋部７との間全体が開口部２０となり、内容物充填後のパウチの前記電子レンジ加熱用容器１ｃへの梱包が容易となる。
また、電子レンジ加熱用容器１ｃからの使用後のパウチＰの取り出しも容易に行うことができる。
【００３０】
［実施例５］
図１２ないし図１４は、本発明の電子レンジ加熱用容器の実施例５を示すものであり、容器は１eで示す。図１２はその展開図であり、前述した実施例１ないし４と同様に、前面部２、背面部３、底面部４及び両側面部５を有しパウチ収納部を構成する。図１２において、前面部２の下方の一方のコーナー部を切り欠いて切り欠き部２５を設け、背面部３の上方の一方のコーナー部にヒンジ部を介して蓋部を設けている。
【００３１】
また、背面部３と蓋部７は、縦方向のスリット２６と横方向のスリット２７で分離されており、背面部３と蓋部７は、背面部３と蓋部７の脚片１０間のヒンジ部１４のみによって連結されている。
なお、蓋部７の平板部８の幅は、前面部２の切り欠き部２５よりも大きく形成され、蓋部７の開閉時の摘み部２８となる。
この結果、前面部２、背面部３、底面部４及び両側面部５から成るパウチ収納部の一方のコーナー部に、摘み部２８を有する蓋部７を設けた電子レンジ加熱用容器１ｅとすることができる。
【００３２】
そして、図１２に示すブランクを用いて電子レンジ加熱用容器１ｅとする際は、底面部４と前面部２及び背面部３間の横折り目部１８を、また、前記前面部２と両側面部５ａ、５ｂの間、前記背面部３と両側面部５ａ、５ｂ間の縦折り目部１９をそれぞれ折り、底面部４とその側片４ａをスリット６から分離し、前記側片ａを内面として両側面部５ａ、５ｂ同士を糊付けする。次いで、前面部２の突片２ｂ背面部の突片３ａの横折り部１８をそれぞれ折り、前記突片２ｂと３ａ同士の糊付けを行いパウチ収納部とする。その後、一方の側面５ｂと脚片１０の側片１０ａをスリット１１から、また、背面部３と蓋部７をスリット２６から分離すると共に、ヒンジ部から折り曲げる。
【００３３】
最後に、蓋７の平板部８、上面部９、及び脚片１０間の２つの横折り目１８と、前記平板部の側片８ａ上面部９の側片９ａ、及び脚片１０の側片１０ａのそれぞれをスリット１２，１３で分離すると共に、縦折り目部１９から内方に折り曲げて糊付けをおこない、図１３に示す電子レンジ加熱用容器１ｅとする。
【００３４】
使用に際しては、図１４に示すように適宜手段で内容物が充填され、パウチＰを前面部２、背面部３、底面部４及び両側面部５から成るパウチ収納部に収納し、図１３に示すように、蓋部７を前面部２に閉じて梱包する。この状態から図１４に示すようにヒンジ部１４から蓋部７を背面部３側に回転させて折り曲げると、前記蓋部７の回転折り曲げと前面部２の切り欠き部２５によって前後が開口された開口部２０を形成し、蓋部７を利用して電子レンジ内、あるいは電子レンジ外で立て掛けた状態とする。
【００３５】
この時、図１４から明らかなように、前面部２、背面部３、底面部４及び両側面部５から成るパウチ収納部の上方の一方のコーナー部には、切り欠いた開口部２０が形成され、収納したパウチＰのコーナー部が露出する。なお、本実施例では、蓋部７の平板部８の幅を、前面部２の切り欠き部２５よりも大きく形成したが、同寸としてもよい。
【００３６】
以上、本発明を５つの実施形態について詳細に説明したが、本発明はこれらの例に制限だれるものではなく、特許請求の範囲に規定した要件を逸脱しない限りにおいて適宜変更され得ることは了解されよう。
【００３７】
【発明の効果】
本発明によれば、電子レンジ等の加熱調理器による加熱後に、パウチを直ちに電子レンジから取り出すことが可能となり、また、食するためにパウチ内の内容物を容易に食器等に移し替えることが可能になるばかりでなく、火傷を負う危険性もない。また、容器の開口部を覆う蓋部は、開いた状態では折り返して脚片となり容器を立て掛け可能とする機能を有し、閉じた状態では容器の切り欠き部を覆う梱包部材として機能する。また、パウチ内の内容物の取り出し、あるいは加熱時のバースト（爆発）防止のためのコーナー部のカットが容易となる。さらに、蓋部が開いた状態では、電子レンジ内、あるいは電子レンジ外でもパウチを立て掛けた状態とすることが可能であるため、パウチのコーナー部をカットした後も、パウチ内の内容物のこぼれが防止される。さらに本発明の電子レンジ加熱用容器は製造が容易で、かつ、取扱いが極めて簡単であるという効果を備えている。
【図面の簡単な説明】
【図１】本発明の電子レンジ加熱用容器の実施例１における展開図である。
【図２】本発明の電子レンジ加熱用容器の実施例１における組立て状態の参考図である。
【図３】本発明の電子レンジ加熱用容器の実施例１における使用状態の参考図である。
【図４】本発明の電子レンジ加熱用容器の実施例２における展開図である。
【図５】本発明の電子レンジ加熱用容器の実施例２における組立て状態の参考図である。
【図６】本発明の電子レンジ加熱用容器の実施例２における使用状態の参考図である。
【図７】本発明の電子レンジ加熱用容器の実施例３における展開図である。
【図８】本発明の電子レンジ加熱用容器の実施例３における組立て状態の参考図である。
【図９】本発明の電子レンジ加熱用容器の実施例３における使用状態の参考図である。
【図１０】本発明の電子レンジ加熱用容器の実施例４における展開図である。
【図１１】本発明の電子レンジ加熱用容器の実施例４における組立て状態の参考図である。
【図１２】本発明の電子レンジ加熱用容器の実施例５における展開図である。
【図１３】本発明の電子レンジ加熱用容器の実施例５における組立て状態の参考図である。
【図１４】本発明の電子レンジ加熱用容器の実施例５における使用状態の参考図である。
【符号の説明】
１、１ａ、１ｂ      電子レンジ加熱用容器
１ｃ、１ｅ
２                  前面部
３                  背面部
４                  底面部
５                  側面部
６                  スリット
７                  蓋部
８                  平板部
９                  上面部
１０                脚片
１１，１２，１３    スリット
１４                ヒンジ
１５、１６、１７    スリット
１８                横折り目部
１９                縦折り目部
２０                開口部
２１                ヒンジ部
２２，２３，２４    切断予定部
２５                切り欠き部
２６                縦スリット
２７                横スリット
２８                摘み部
【図１】
0004736168.tif 000002
【図２】
0004736168.tif 000003
【図３】
0004736168.tif 000004
【図４】
0004736168.tif 000005
【図５】
0004736168.tif 000006
【図６】
0004736168.tif 000007
【図７】
0004736168.tif 000008
【図８】
0004736168.tif 000009
【図９】
0004736168.tif 000010
【図１０】
0004736168.tif 000011
【図１１】
0004736168.tif 000012
【図１２】
0004736168.tif 000013
【図１３】
0004736168.tif 000014
【図１４】
0004736168.tif 000015